(57)【要約】【課題】ケーブルと光電変換モジュールとの両者が装着される光電気複合コネクタ装置であって、光電変換モジュールの装着及び取外しを確実かつ容易に行うことができ、しかも、装着された光電変換モジュールの再利用が可能とされるものを提供する。【解決手段】絶縁ハウジング１６が導電性シェル１７に固着され、また、基板１５に光電変換モジュール１４が取り付けられたもとで、絶縁ハウジング１６における光電変換モジュール収容部への光電変換モジュール１４が取り付けられた基板１５の配置と、絶縁ハウジング１６におけるケーブル固定部２６への複数のケーブル１２の取付けと、絶縁ハウジング１６を挟んで導電性シェル１７と対向して絶縁ハウジング１６を部分的に覆うものとされる導電性カバーの配設とが行われて、コネクタ装置として組み立てられる。【選択図】図９
2014146508.tif 000002
【特許請求の範囲】
【請求項１】
複数のケーブルが夫々電気的に接続される複数のケーブル接続端子が配されたケーブル固定部，光電変換モジュールが配される光電変換モジュール収容部、及び、上記複数のケーブル接続端子の夫々の一部分が配列配置された相手方コネクタ装置との第１の連結部が設けられた絶縁ハウジングと、
第１の係合部を有し、上記絶縁ハウジングが固着される導電性シェルと、
上記第１の係合部に係合する第２の係合部を有し、上記絶縁ハウジングを挟んで上記導電性シェルと対向して配され、上記絶縁ハウジングを部分的に覆う導電性カバーと、
を備え、
上記光電変換モジュールが、該光電変換モジュールが電気的に接続される光電変換モジュール接続端子が設けられた基板に取り付けられて、該基板が上記光電変換モジュール収容部に配置されることによって上記光電変換モジュール収容部に配され、
上記光電変換モジュール収容部に配置された上記基板における上記光電変換モジュール接続端子の一部分が配された部分が、相手方コネクタ装置との第２の連結部を形成することを特徴とする光電気複合コネクタ装置。
【請求項２】
上記導電性シェルが、上記光電変換モジュール収容部に隣接して該光電変換モジュール収容部に配置された上記基板を当接支持する光電変換モジュール当接部を有することを特徴とする請求項１記載の光電気複合コネクタ装置。
【請求項３】
上記第１の連結部と上記第２の連結部とが、相互隣接して一連の連結部を形成することを特徴とする請求項１記載の光電気複合コネクタ装置。
【請求項４】
上記第１の連結部と上記第２の連結部とが、上記複数のケーブル接続端子及び上記光電変換モジュール接続端子の夫々の一端が配列配置された突出部を成すものとして形成されることを特徴とする請求項３記載の光電気複合コネクタ装置。
【請求項５】
上記第１の連結部と上記第２の連結部とが成す突出部が、先端傾斜面部を有することを特徴とする請求項４記載の光電気複合コネクタ装置。
【請求項６】
上記導電性シェルに上記光電変換モジュール収容部に露出するグラウンド接続部が設けられるとともに上記基板にグラウンド端子部が設けられ、上記基板が上記光電変換モジュール収容部に装着されるとき、上記グラウンド端子部が上記グラウンド接続部に接続されることを特徴とする請求項１記載の光電気複合コネクタ装置。
【請求項７】
上記グラウンド端子部が上記グラウンド接続部に半田付け接続されることを特徴とする請求項６記載の光電気複合コネクタ装置。
【請求項８】
上記グラウンド接続部が弾性切起し部を成すものとされて上記グラウンド端子部に弾性当接することにより、上記グラウンド端子部が上記グラウンド接続部に接触接続されることを特徴とする請求項６記載の光電気複合コネクタ装置。
【請求項９】
上記絶縁ハウジングが、上記ケーブル固定部及び光電変換モジュール収容部の夫々を構成する平板状部を有していて、上記導電性シェルが、上記平板状部に沿って拡がる部分を有しており、上記導電性シェルに対向せしめられた上記導電性カバーが、上記ケーブル固定部及び光電変換モジュール収容部を部分的に覆うものとされることを特徴とする請求項１記載の光電気複合コネクタ装置。
【発明の詳細な説明】
【技術分野】
【０００１】
本願の特許請求の範囲に記載された発明は、導体ケーブルと光電変換モジュールとが装着されたもとで、例えば、ソリッド印刷配線基板等の主基板に配された相手方コネクタ装置との嵌合状態におかれ、導体ケーブル及び光電変換モジュールと相手方コネクタ装置が配された主基板との電気的接続を果す光電気複合コネクタ装置に関する。
【背景技術】
【０００２】
高周波電気信号の伝送を行う場合、同軸ケーブルを用いることが広く普及しているが、同軸ケーブルに加えて光ファイバーケーブルを用いて高周波電気信号を伝送することも提案されている。光ファイバーケーブルを用いて高周波電気信号を伝送する際には、送り側において、光電変換モジュールによって伝送すべき高周波電気信号を光信号に変換し、変換された光信号を光ファイバーケーブルに供給して、光信号が光ファイバーケーブルを通じて伝送される状態となし、受け側において、光ファイバーケーブルを通じて伝送された光信号を光電変換モジュールによって高周波電気信号に変換することにより、伝送された高周波電気信号を得る。従って、高周波電気信号の伝送に用いられる光ファイバーケーブルの両端部の夫々には、光電変換モジュールが配されることになる。
【０００３】
高周波電気信号の伝送に用いられる同軸ケーブルや同じく高周波電気信号の伝送に用いられる光ファイバーケーブルの端部に配される光電変換モジュールが、ソリッド印刷配線基板等とされる主基板に高周波電気信号を供給すべく、あるいは、主基板から高周波電気信号の供給を受けるべく、当該主基板に電気的に接続されるにあたっては、一対のコネクタ装置が用いられることが多い。即ち、同軸ケーブルの装着、あるいは、光ファイバーケーブルの端部に配される光電変換モジュールの装着がなされたケーブル側コネクタ装置と、主基板に配されて主基板との電気的接続がなされ、ケーブル側コネクタ装置との嵌合状態におかれる基板側コネクタ装置とが用いられるのである。
【０００４】
その際、ケーブル側コネクタ装置からみると、基板側コネクタ装置はケーブル側コネクタ装置にとっての相手方コネクタ装置となり、基板側コネクタ装置からみると、ケーブル側コネクタ装置は基板側コネクタ装置にとっての相手方コネクタ装置となる。そして、同軸ケーブルの装着、あるいは、光ファイバーケーブルの端部に配される光電変換モジュールの装着がなされたケーブル側コネクタ装置が、相手方コネクタ装置である主基板に配された基板側コネクタ装置に嵌合せしめられることにより、同軸ケーブル、あるいは、光ファイバーケーブルの端部に装着された光電変換モジュールが、主基板に電気的に接続された状態が得られる。
【０００５】
このようなもとで、同軸ケーブルの主基板との電気的接続及び光ファイバーケーブルの端部に配される光電変換モジュールの主基板との電気的接続を容易に行えるようにすべく、同軸ケーブルと光ファイバーケーブルの端部に配される光電変換モジュールとの両者を一つのケーブル側コネクタ装置に装着し、そのケーブル側コネクタ装置を主基板に配された基板側コネクタ装置に嵌合させることが従来提案されている（例えば、特許文献１参照。）。斯かる従来の提案によれば、一つのケーブル側コネクタ装置を基板側コネクタ装置に嵌合させるだけで、同軸ケーブルと光ファイバーケーブルの端部に配される光電変換モジュールとの両者を、主基板との電気的接続状態におくことができる。
【０００６】
上述の特許文献１に記載されている、同軸ケーブルと光ファイバーケーブルの端部に配される光電変換モジュールとの両者が装着されるケーブル側コネクタ装置 (コネクタ(31;32))にあっては、絶縁ハウジング（コネクタ本体(43)) が備えられている。そして、絶縁ハウジングには、配列配置された複数の同軸ケーブル（細径同軸ケーブル(24)) の夫々の端部が取り付けられるケーブル接続部(44)と光ファイバーケーブル（光ファイバ(25)) の端部に配される光電変換モジュール（光サブアセンブリ(52)) が取り付けられるファイバ接続部(45)が設けられている。また、絶縁ハウジングには、主基板（配線基板) に配された基板側コネクタ（レセプタクル(71)) に嵌合連結される連結部（接続部(42)) も設けられており、連結部には複数の接続端子(41)が配列配置されている。
【０００７】
絶縁ハウジングに設けられたケーブル接続部には、配列配置された複数の同軸ケーブルの夫々の端部が収容されるケーブル収容部(46)が形成されており、ケーブル収容部には、複数の接続端子から夫々伸びた複数の接点(47)が、同軸ケーブルの端部において露出せしめられた中心導体(24a) が半田付けされるものとして配置されている。また、ケーブル接続部には、配列配置された複数の同軸ケーブルの夫々の外部導体(24b) に接続されたグラウンディングバー（グランドバー(49)) が固定される外部導体固定部(48)が形成されている。そして、ケーブル収容部に配された複数の接点の夫々に、配列配置された複数の同軸ケーブルの夫々の端部において露出せしめられた中心導体が半田付けされるとともに、ケーブル接続部に形成された外部導体固定部に、配列配置された複数の同軸ケーブルの夫々の外部導体に接続されたグラウンディングバーが固定されることにより、複数の同軸ケーブルの夫々が絶縁ハウジングに直接的に取り付けられて、ケーブル側コネクタ装置に装着されたものとされる。
【０００８】
また、絶縁ハウジングに設けられたファイバ接続部には、光ファイバーケーブルの端部に配される光電変換モジュールを収容する収容部(51)が凹部を成すものとして形成されている。この凹部を成す収容部の底面には、連結部に配された接続端子から伸びた電気接続部(60)が配されており、収容部に収容された光電変換モジュールは電気接続部に接続される。そして、光ファイバーケーブルの端部に配される光電変換モジュールが、絶縁ハウジングに設けられたファイバ接続部に形成された凹部を成す収容部に収容されて固定され、収容部の底面に配された電気接続部に接続された状態に置かれることにより、絶縁ハウジングに直接的に取り付けられて、ケーブル側コネクタ装置に装着されたものとされる。
【先行技術文献】
【特許文献】
【０００９】
【特許文献１】特開２０１１−９０８９８号公報（段落００１５〜００４０、第６〜９頁、図１〜９）
【発明の概要】
【発明が解決しようとする課題】
【００１０】
前述の、例えば、特許文献１に記載された従来のケーブル側コネクタ装置にあっては、それが備える絶縁ハウジングに、複数の同軸ケーブルと光ファイバーケーブルの端部に配される光電変換モジュールとの両者が直接的に取り付けられる。即ち、絶縁ハウジングに、ケーブル収容部が形成されたケーブル接続部と、光ファイバーケーブルの端部に配される光電変換モジュールを収容する収容部が凹部を成すものとして形成されたファイバ接続部とが設けられており、ケーブル接続部におけるケーブル収容部に配された複数の接点の夫々に、配列配置された複数の同軸ケーブルの夫々の端部において露出せしめられた中心導体が半田付けされるとともに、ケーブル接続部に形成された外部導体固定部に、配列配置された複数の同軸ケーブルの夫々の外部導体に接続されたグラウンディングバーが固定されることにより、複数の同軸ケーブルが絶縁ハウジングに直接に取り付けられ、また、光ファイバーケーブルの端部に配される光電変換モジュールが、ファイバ接続部における凹部を成す収容部に収容されて固定され、収容部の底面に配された電気接続部に接続された状態に置かれることにより、絶縁ハウジングに直接に取り付けられる。
【００１１】
このようなもとで、光電変換モジュールは、半導体集積回路(IC)チップ等を内蔵していて、静電気作用等に起因する内部破壊や損傷を受け易い電気部品である。それゆえ、光ファイバーケーブルの端部に配される光電変換モジュールが、複数の同軸ケーブルとともに絶縁ハウジングに直接的に取り付けられるものとされる従来のケーブル側コネクタ装置にあっては、その組立工程において、光電変換モジュールに内部破壊や損傷が生じることがないように細心の注意を払うことが必要とされる。そのため、一連の組立作業の効率的進行に支障が来されるという不都合がまねかれる虞がある。
【００１２】
また、光ファイバーケーブルの端部に配される光電変換モジュールが絶縁ハウジングに取り付けられた後に、絶縁ハウジングあるいは絶縁ハウジングに取り付けられた同軸ケーブルに電気的不導通等の不都合が生じた場合には、光電変換モジュールを伴った絶縁ハウジングの全体が破棄されることになり、再利用可能な光電変換モジュールが無駄に消費されてしまうという不都合が生じる。光電変換モジュールは、通常、比較的高価であるので、再利用可能な光電変換モジュールが無駄に消費されてしまう場合には、経済的損失も少なくない。
【００１３】
斯かる点に鑑み、本願の特許請求の範囲に記載された発明は、同軸ケーブルと光ファイバーケーブルの端部に配される光電変換モジュールとの両者が装着されるケーブル側コネクタ装置として用いることができる光電気複合コネクタ装置であって、その組立工程における一連の作業を容易かつ効率的に進めることができ、しかも、光ファイバーケーブルの端部に配される光電変換モジュールが装着された後に、光電変換モジュールと共に装着された同軸ケーブルやその他の部分に電気的不導通等の不都合が生じた場合にも、簡単で容易な操作によって光電変換モジュールの取外しを行うことができ、光電変換モジュールを無駄に消費することなく再利用することができるものを提供する。
【課題を解決するための手段】
【００１４】
本願の特許請求の範囲における請求項１から請求項９までのいずれかに記載された発明（以下、本発明という。）に係る光電気複合コネクタ装置は、複数のケーブルが夫々電気的に接続される複数のケーブル接続端子が配されたケーブル固定部，光電変換モジュールが配される光電変換モジュール収容部、及び、複数のケーブル接続端子の夫々の一部分が配列配置された相手方コネクタ装置との第１の連結部が設けられた絶縁ハウジングと、第１の係合部を有し、絶縁ハウジングが固着される導電性シェルと、第１の係合部に係合する第２の係合部を有し、絶縁ハウジングを挟んで導電性シェルと対向して配され、絶縁ハウジングを部分的に覆う導電性カバーとを備えて構成される。そして、光電変換モジュールが、それが電気的に接続される光電変換モジュール接続端子が設けられた基板に取り付けられ、その基板が、絶縁ハウジングに設けられた光電変換モジュール収容部に配置されることによって光電変換モジュール収容部に配され、光電変換モジュール収容部に配置された基板における光電変換モジュール接続端子の一部分が配された部分が、相手方コネクタ装置との第２の連結部を形成する。
【００１５】
上述のように構成される本発明に係る光電気複合コネクタ装置は、ケーブル固定部に複数のケーブル接続端子が配された絶縁ハウジングが導電性シェルに固着され、また、光電変換モジュール接続端子が設けられた基板に光電変換モジュールが取り付けられて、その光電変換モジュールが光電変換モジュール接続端子に電気的に接続されたものとされたもとで、導電性シェルに固着された絶縁ハウジングにおける光電変換モジュール収容部への光電変換モジュールが取り付けられた基板の配置と、ケーブル固定部における複数のケーブル接続端子に、例えば、複数の同軸ケーブルとされる複数のケーブルが夫々、例えば、半田付けにより電気的に接続されることによる、絶縁ハウジングにおけるケーブル固定部への複数のケーブルの取付けと、導電性シェルが有する第１の係合部に第２の係合部を係合させ、絶縁ハウジングを挟んで導電性シェルと対向して絶縁ハウジングを部分的に覆うものとされる導電性カバーの配設とが行われて、コネクタ装置として組み立てられる。
【００１６】
斯かる際、導電性シェルに固着された絶縁ハウジングにおける光電変換モジュール収容部への光電変換モジュールが取り付けられた基板の配置は、絶縁ハウジングを部分的に覆うものとされる導電性カバーの配設の前後のいずれかにおいて行われる。また、光電変換モジュールには、例えば、光ファイバーケーブルの一端部が連結され、それにより、光電変換モジュールが光ファイバーケーブルの端部に配されたものとされる。斯かる本発明に係る光電気複合コネクタ装置は、同軸ケーブルと光ファイバーケーブルの端部に配される光電変換モジュールとの両者が装着されるケーブル側コネクタ装置として用いることができるものとなる。
【００１７】
このようなもとで、本発明に係る光電気複合コネクタ装置の一実施例においては導電性シェルが、絶縁ハウジングに設けられた光電変換モジュール収容部に隣接する光電変換モジュール当接部を有するものとされ、絶縁ハウジングにおける光電変換モジュール収容部に配置された光電変換モジュールが取り付けられた基板が、導電性シェルが有する光電変換モジュール当接部によって当接支持される。また、絶縁ハウジングに設けられた第１の連結部と光電変換モジュールが取り付けられて絶縁ハウジングにおける光電変換モジュール収容部に配置された基板の部分によって形成される第２の連結部とは、例えば、相互隣接して一連の連結部を形成するものとされる。さらに、第１の連結部と第２の連結部とによる一連の連結部が形成される実施例においては、第１の連結部と第２の連結部とは、複数のケーブル接続端子及び光電変換モジュール接続端子の夫々の一端が配列配置された突出部を成すものとして形成され、その突出部が、先端傾斜面部を有するものとされる。
【発明の効果】
【００１８】
上述の本発明に係る光電気複合コネクタ装置にあっては、例えば、複数の同軸ケーブルとされる複数のケーブルと、例えば、光ファイバーケーブルの端部に配されるものとされる光電変換モジュールと、の両者が装着されたものとされるにあたり、先ず、ケーブル固定部に複数のケーブル接続端子が配された絶縁ハウジングが導電性シェルに固着され、それとは別に、光電変換モジュール接続端子が設けられた基板に光電変換モジュールが取り付けられて光電変換モジュールが光電変換モジュール接続端子に電気的に接続されたものとされる。そして、斯かるもとで、光電変換モジュールが取り付けられた基板の、導電性シェルに固着された絶縁ハウジングにおける光電変換モジュール収容部への配置と、複数の同軸ケーブルとされる複数のケーブルの、ケーブル固定部における複数のケーブル接続端子に、例えば、夫々半田付けにより電気的に接続されることによる、絶縁ハウジングにおけるケーブル固定部への取付けと、導電性カバーの、導電性シェルが有する第１の係合部に第２の係合部を係合させ、絶縁ハウジングを挟んで導電性シェルと対向して絶縁ハウジングを部分的に覆うものとされての配設とが行われる。その結果、複数のケーブルがケーブル固定部に取り付けられるとともに、光電変換モジュールが光電変換モジュール収容部に配されて、複数のケーブルと光電変換モジュールとが装着された光電気複合コネクタ装置が組み立てられる。
【００１９】
斯かる際、光電変換モジュールが取り付けられた基板の絶縁ハウジングにおける光電変換モジュール収容部への配置は、導電性カバーの絶縁ハウジングを挟んで導電性シェルと対向して絶縁ハウジングを部分的に覆うものとされての配設の前後のいずれかにおいて行われる。また、絶縁ハウジングにおける光電変換モジュール収容部に配置された光電変換モジュールが取り付けられた基板は、例えば、導電性シェルが有する光電変換モジュール当接部による当接支持を受ける。
【００２０】
従って、本発明に係る光電気複合コネクタ装置にあっては、その組立工程において、予め光電変換モジュールが電気的に接続されて取り付けられた基板を、導電性シェルに固着された絶縁ハウジングにおける光電変換モジュール収容部に配置することによって、光電変換モジュールを光電変換モジュール収容部に配されたものとすることができる。それにより、光電変換モジュールに対して内部破壊や損傷が生じることがないようにする格別な注意を払うことなく、複数のケーブル及び光電変換モジュールの適正な装着を行うことができ、その結果、一連の組立作業を容易かつ効率的に進めることができることになる。
【００２１】
さらに、光電変換モジュールが取り付けられた基板が、導電性シェルに固着された絶縁ハウジングにおける光電変換モジュール収容部に配置されることによって、光電変換モジュールが光電変換モジュール収容部に配された後に、絶縁ハウジングにおけるケーブル固定部やそれに取り付けられた複数のケーブルに電気的不導通等の不都合が生じた場合にも、光電変換モジュールを伴った装置全体を破棄することは必要とされず、光電変換モジュールが取り付けられた基板をそれが配置された絶縁ハウジングにおける光電変換モジュール収容部から分離させることにより、簡単で容易な操作によって一旦光電変換モジュール収容部に配された光電変換モジュールの取外しを行うことができ、その結果、光電変換モジュールを無駄に消費することなく再利用可能なものとすることができる。
【図面の簡単な説明】
【００２２】
【図１】本発明に係る光電気複合コネクタ装置の第１の例を、それに装着された複数の同軸ケーブル及び光電変換モジュ−ルが取り付けられた基板の一部分と共に示す斜視図である。
【図２】本発明に係る光電気複合コネクタ装置の第１の例を、それに装着された複数の同軸ケーブル及び光電変換モジュ−ルが取り付けられた基板の一部分と共に示す平面図である。
【図３】本発明に係る光電気複合コネクタ装置の第１の例が備える導電性シェルを単体で示す斜視図である。
【図４】本発明に係る光電気複合コネクタ装置の第１の例が備える導電性シェルとそれに固着された絶縁ハウジングとを示す斜視図である。
【図５】本発明に係る光電気複合コネクタ装置の第１の例が備える導電性シェルとそれに固着された絶縁ハウジングとを示す平面図である。
【図６】本発明に係る光電気複合コネクタ装置の第１の例が備える光電変換モジュ−ルが取り付けられた基板を示す上面側から見た斜視図である。
【図７】本発明に係る光電気複合コネクタ装置の第１の例が備える光電変換モジュ−ルが取り付けられた基板を示す底面側から見た斜視図である。
【図８】本発明に係る光電気複合コネクタ装置の第１の例が備える導電性シェルとそれに固着された絶縁ハウジングと光電変換モジュ−ルが取り付けられて絶縁ハウジングにおける光電変換モジュ−ル収容部に配置された基板とを示す斜視図である。
【図９】本発明に係る光電気複合コネクタ装置の第１の例が備える導電性シェルとそれに固着された絶縁ハウジングと光電変換モジュ−ルが取り付けられて絶縁ハウジングにおける光電変換モジュ−ル収容部に配置された基板とを、絶縁ハウジングにおけるケーブル固定部に取り付けられた複数の同軸ケーブル及び光電変換モジュ−ルの取り付けられた光ファイバーケーブルと共に示す斜視図である。
【図１０】図２における X−X 線に沿う断面を示す断面図である。
【図１１】本発明に係る光電気複合コネクタ装置の第１の例が嵌合せしめられる相手方コネクタを示す平面図である。
【図１２】本発明に係る光電気複合コネクタ装置の第１の例が嵌合せしめられる相手方コネクタを示す正面図である。
【図１３】本発明に係る光電気複合コネクタ装置の第２の例を、それに装着された複数の同軸ケーブル及び光電変換モジュ−ルが取り付けられた基板の一部分と共に示す斜視図である。
【図１４】本発明に係る光電気複合コネクタ装置の第２の例を、それに装着された複数の同軸ケーブル及び光電変換モジュ−ルが取り付けられた基板の一部分と共に示す平面図である。
【図１５】本発明に係る光電気複合コネクタ装置の第２の例が備える導電性シェルを単体で示す斜視図である。
【図１６】本発明に係る光電気複合コネクタ装置の第２の例が備える導電性カバーをその内側から見たものとして単体で示す斜視図である。
【図１７】本発明に係る光電気複合コネクタ装置の第２の例が備える導電性シェルとそれに固着された絶縁ハウジングとを示す斜視図である。
【図１８】本発明に係る光電気複合コネクタ装置の第２の例が備える導電性シェルとそれに固着された絶縁ハウジングとを、絶縁ハウジングにおけるケーブル固定部に取り付けられた複数の同軸ケーブルと共に示す斜視図である。
【図１９】本発明に係る光電気複合コネクタ装置の第２の例が備える導電性シェルとそれに固着された絶縁ハウジングと導電性シェルに係合した導電性カバーとを、絶縁ハウジングにおけるケーブル固定部に取り付けられた複数の同軸ケーブルと共に示す斜視図である。
【図２０】本発明に係る光電気複合コネクタ装置の第２の例が備える導電性シェルとそれに固着された絶縁ハウジングと導電性シェルに係合した導電性カバーとを、絶縁ハウジングにおけるケーブル固定部に取り付けられた複数の同軸ケーブル及び絶縁ハウジングにおける光電変換モジュ−ル収容部に配置される光電変換モジュ−ルが取り付けられた基板と共に示す斜視図である。
【図２１】図１４における XXI−XXI 線に沿う断面を示す断面図である。
【発明を実施するための形態】
【００２３】
本発明を実施するための形態は、以下に述べられる本発明についての実施例をもって説明される。
【実施例１】
【００２４】
図１（斜視図）及び図２（平面図）は、本発明に係る光電気複合コネクタ装置の第１の例を、それに装着された複数の同軸ケーブル及び光電変換モジュ−ルが取り付けられた基板の一部分と共に示す。
【００２５】
図１及び図２において、本発明に係る光電気複合コネクタ装置の第１の例を成す光電気複合コネクタ装置１１は、例えば、配列配置された複数の同軸ケーブルとされる複数のケーブル１２と光ファイバーケーブル１３の端部に配される光電変換モジュール１４（後述される図６に示されている。）とが装着されたもとで、例えば、ソリッド印刷配線基板とされる主基板にそれに設けられた電気回路構成部との電気的接続がなされて取り付けられた基板側コネクタ装置とされる相手方コネクタ装置に嵌合せしめられる、ケーブル側コネクタ装置として用いられるものとされている。光電変換モジュール１４は、基板１５に取り付けられた状態をもって装着されている。そして、光電気複合コネクタ装置１１は、合成樹脂等の絶縁材料によって形成された絶縁ハウジング１６, 外部からの電磁波ノイズ対策のため絶縁ハウジング１６の外面部を部分的に覆うものとされた導電性シェル１７及び導電性カバー１８を備えている。
【００２６】
導電性シェル１７を単体で示す図３に示されるように、導電性シェル１７は、例えば、弾性を有した金属板材料が打抜き・屈曲加工されて形成され、それに絶縁ハウジング１６が、例えば、インサートモールド成型の手法により固着されるものとされている。そして、導電性シェル１７は、複数の矩形透孔及び半円形透孔を含んだ透孔群が形成された平板状部２０、及び、平板状部２０における長手方向の両端部に導電性カバー１８との係合状態をとるべく設けられた複数の係合部２１を有している。平板状部２０の一部分は、光電変換モジュール１４が取り付けられた基板１５に当接して基板１５を当接支持する状態をとる光電変換モジュール当接部２０ａを形成している。また、複数の係合部２１の夫々には、係合突起２１ａが形成されている。
【００２７】
さらに、導電性シェル１７には、平板状部２０における長手方向の両端部の間の部分に、光電変換モジュール１４が取り付けられた基板１５に設けられたグラウンド端子部に接続される一対のグラウンド接続部２２が備えられている。一対のグラウンド接続部２２の夫々は、平板状部２０の側縁部から伸び、平板状部２０に対面すべく折り返されたものとされている。
【００２８】
図４及び図５に示されるように、図３に示される導電性シェル１７には、その平板状部２０の大部分を覆うようにして、絶縁ハウジング１６が、例えば、インサートモールド成型の手法により固着される。そして、絶縁ハウジング１６には、複数のケーブル１２が夫々電気的に接続される複数のケーブル接続端子２５が設けられ、複数のケーブル１２が取り付けられるケーブル固定部２６と、光電変換モジュール１４が取り付けられた基板１５が配置される光電変換モジュール収容部２７と、ケーブル固定部２６の外部へと伸びた複数のケーブル接続端子２５の夫々の部分２５ａが配された、相手方コネクタ装置との連結部２８と、が形成されている。光電変換モジュール収容部２７は、それに導電性シェル１７における光電変換モジュール当接部２０ａが隣接することになる位置をとるものとされている。
【００２９】
絶縁ハウジング１６に形成されたケーブル固定部２６は、絶縁ハウジング１６の長手方向に伸びており、斯かるケーブル固定部２６には、複数のケーブル接続端子２５が、絶縁ハウジング１６の長手方向に沿って配列配置されている。また、絶縁ハウジング１６に形成された光電変換モジュール収容部２７は、導電性シェル１７に備えられた一対のグラウンド接続部２２が露出する平坦部分を成している。そして、これらのケーブル固定部２６及び光電変換モジュール収容部２７は、絶縁ハウジング１６の長手方向に沿って並べられている。
【００３０】
また、絶縁ハウジング１６に形成された連結部２８は、絶縁ハウジング１６におけるケーブル固定部２６から突出する突出部を成していて、絶縁ハウジング１６の長手方向に伸びるものとされている。そして、連結部２８には、複数のケーブル接続端子２５の部分２５ａが、絶縁ハウジング１６の長手方向に沿って配列配置されている。また、連結部２８における絶縁ハウジング１６の長手方向に沿って伸びる端縁部分には、先端傾斜面部２９が形成されている。
【００３１】
基板１５に取り付けられた光電変換モジュール１４は、図６に示されるように、ＩＣチップ（半導体集積回路素子）３０，ＩＣチップ３０との電気的接続がなされた光電変換素子３１、及び、光電変換素子３１と光学的に連結された光ファイバーケーブル挿入口形成部３２が、例えば、合成樹脂から成る封止材３３によって封じ込められて構成されている。光ファイバーケーブル挿入口形成部３２には、光ファイバーケーブル１３の一端が挿入されて接続される。それにより、光電変換モジュール１４が光ファイバーケーブル１３の端部に配されたものとされる。
【００３２】
そして、光電変換モジュール１４の外部から光ファイバーケーブル１３を通じて光電変換素子３１に導かれた光信号が、光電変換素子３１によって電気信号に変換され、その電気信号が、光電変換素子３１からＩＣチップ３０に供給されて、ＩＣチップ３０による処理に供される。また、ＩＣチップ３０からの電気信号が、光電変換素子３１に供給されて光電変換素子３１により光信号に変換され、その光信号が、光電変換素子３１から光ファイバーケーブル１３に導かれて、光ファイバーケーブル１３を通じて光電変換モジュール１４の外部へと伝送される。
【００３３】
光電変換モジュール１４が取り付けられた基板１５は、図６に示されるように、一対の相互対向面の一方（以下、上面１５ａという。）に光電変換モジュール１４が固定されたものとされている。そして、光電変換モジュール１４が固定された上面１５ａに複数の光電変換モジュール接続端子３４が配列配置されて設けられており、また、図７に示されるように、一対の相互対向面の他方（以下、下面１５ｂという。）に、一対のグラウンド端子部３５が設けられている。これら複数の光電変換モジュール接続端子３４及びグラウンド端子部３５の夫々は、ＩＣチップ３０に電気的に連結されている。
【００３４】
基板１５におけるその上面１５ａに配列配置された複数の光電変換モジュール接続端子３４の夫々の一部分が配された端縁部分が、相手方コネクタ装置との連結部３６を形成している。連結部３６には、複数の光電変換モジュール接続端子３４の夫々の一端部が配列配置されており、また、連結部３６には、複数の光電変換モジュール接続端子３４の夫々の一端部の配列方向に沿って伸びる先端傾斜面部３６ａが形成されている。
【００３５】
図６及び図７に示される光電変換モジュール１４が取り付けられた基板１５は、図８に示されるように、図４及び図５に示される導電性シェル１７に固着された絶縁ハウジング１６に形成された平坦部分を成す光電変換モジュール収容部２７に配置される。その際、基板１５の下面１５ｂに設けられた一対のグラウンド端子部３５が、導電性シェル１７に備えられていて光電変換モジュール収容部２７に露出する一対のグラウンド接続部２２に夫々対面するものとされる。そして、一対のグラウンド端子部３５の夫々は、例えば、予め一対のグラウンド接続部２２の夫々に塗布されていた半田によって、対応するグラウンド接続部２２に半田付け接続される。また、基板１５の下面１５ｂに、導電性シェル１７の平板状部２０の一部分が形成する光電変換モジュール当接部２０ａが当接して、光電変換モジュール１４が取り付けられた基板１５が光電変換モジュール当接部２０ａにより当接支持される。このようにして、光電変換モジュール１４が取り付けられた基板１５が光電変換モジュール収容部２７に配置されることにより、光電変換モジュール１４が光電変換モジュール収容部２７に配された状態が得られる。
【００３６】
光電変換モジュール収容部２７に配置された基板１５は、その連結部３６が、絶縁ハウジング１６の長手方向に沿って、絶縁ハウジング１６に形成された連結部２８に連なるものとされる。斯かるもとにおいて、連結部２８に形成された先端傾斜面部２９と連結部３６に形成された先端傾斜面部３６ａとが、絶縁ハウジング１６の長手方向に沿って伸びる一連の先端傾斜面部を形成するものとされる。それにより、絶縁ハウジング１６に形成された連結部２８と基板１５に形成された連結部３６とが、相互隣接して絶縁ハウジング１６の長手方向に沿って伸びる一連の連結部を形成し、斯かる連結部２８と連結部３６とが、複数のケーブル接続端子２５の夫々の部分２５ａ及び光電変換モジュール接続端子３４の夫々の一端が配列配置された突出部を成すものとして形成されていることになる。
【００３７】
続いて、図９に示されるように、導電性シェル１７に固着され、それに形成された光電変換モジュール収容部２７に光電変換モジュール１４が取り付けられた基板１５が配置された絶縁ハウジング１６には、それに形成されたケーブル固定部２６に複数のケーブル１２が取り付けられ、また、絶縁ハウジング１６に形成された光電変換モジュール収容部２７に配置された基板１５に取り付けられた光電変換モジュール１４には、光ファイバーケーブル１３が連結される。
【００３８】
複数のケーブル１２がケーブル固定部２６に取り付けられるにあたっては、複数のケーブル１２の夫々である同軸ケーブルの一端部に、絶縁被覆及び内部絶縁層が除去されて外側導体３８及び中心導体３９が露出せしめられる処理が施され、複数のケーブル１２の外側導体３８がグラウンディング・バー４０によって連結される。そして、各々の外側導体３８がグラウンディング・バー４０によって連結された複数のケーブル１２の夫々の一端部が、絶縁ハウジング１６に形成されたケーブル固定部２６に配されて、複数のケーブル１２の中心導体３９が、ケーブル固定部２６に配列配置された複数のケーブル接続端子２５に夫々、例えば、半田付けによって接続される。それにより、複数のケーブル１２の夫々の一端部が絶縁ハウジング１６に形成されたケーブル固定部２６に固定され、配列配置された複数の同軸ケーブルとされる複数のケーブル１２が、絶縁ハウジング１６に形成されたケーブル固定部２６に取り付けられた状態が得られる。
【００３９】
また、光ファイバーケーブル１３が光電変換モジュール１４に連結されるにあたっては、光ファイバーケーブル１３の一端が、光電変換モジュール１４における光ファイバーケーブル挿入口形成部３２に挿入されて、光電変換モジュール１４における封止材３３によって封じ込められた光電変換素子３１に光学的に連結される。
【００４０】
導電性カバー１８は、図１及び図２に示されるように、例えば、弾性を有した金属板材料が打抜き・屈曲加工されて形成され、複数の透孔４１及び複数の接触片部４２が形成された平板状部４３、及び、平板状部４３における長手方向の両端部に導電性シェル１７との係合状態をとるべく設けられた複数の係合部４４を有している。複数の係合部４４の夫々には、係合孔４４ａが形成されている。
【００４１】
そして、図９に示されるように、導電性シェル１７に固着された絶縁ハウジング１６が、それに形成された光電変換モジュール収容部２７に光電変換モジュール１４が取り付けられた基板１５が配置され、基板１５に取り付けられた光電変換モジュール１４に光ファイバーケーブル１３が連結されるとともに、それに形成されたケーブル固定部２６に複数のケーブル１２が取り付けられたものとされたもとで、導電性カバー１８が、図２における X−X 線断面を示す図１０に示されるように、絶縁ハウジング１６を挟んで導電性シェル１７と対向して配され、その平板状部４３によって絶縁ハウジング１６を部分的に覆うものとされて、図１及び図２に示される光電気複合コネクタ装置１１が組み立てられる。
【００４２】
その際、導電性カバー１８における複数の係合部４４の夫々が、それに設けられた係合孔４４ａを、導電性シェル１７における複数の係合部２１のうちの対応するものに設けられた係合突起２１ａに嵌合させて、対応する係合部２１に係合するものとされる。また、導電性カバー１８における平板状部４３が、絶縁ハウジング１６に形成された光電変換モジュール収容部２７に配置された基板１５に取り付けられた光電変換モジュール１４、及び、絶縁ハウジング１６に形成されて複数のケーブル１２が取り付けられたケーブル固定部２６を覆うものとされ、図１０に示されるように、平板状部４３の長手方向に伸びる一対の対向側縁部の一方に設けられた折返し部４３ａの部分が、基板１５に取り付けられた光電変換モジュール１４を係止する。さらに、導電性カバー１８における平板状部４３に形成された複数の接触片部４２が、ケーブル固定部２６に取り付けられた複数のケーブル１２の夫々の外側導体３８を連結するグラウンディング・バー４０に接触接続される。それにより、複数のケーブル１２の夫々の外側導体３８が、導電性カバー１８を介して導電性シェル１７に電気的に連結され、導電性カバー１８及び導電性シェル１７に複数のケーブル１２の夫々の外側導体３８を通じてグラウンド電位が与えられる。
【００４３】
上述のようにして組み立てられて得られる光電気複合コネクタ装置１１は、例えば、ソリッド印刷配線基板とされる主基板にそれに設けられた電気回路構成部との電気的接続がなされて取り付けられた基板側コネクタ装置とされる相手方コネクタ装置に嵌合せしめられて用いられる。
【００４４】
図１１（平面図）及び図１２（正面図）は、光電気複合コネクタ装置１１が嵌合せしめられる相手方コネクタ装置の一例を成す相手方コネクタ装置５１を示す。斯かる相手方コネクタ装置５１は、主基板（図示が省略されている。）に配されたものとされる。
【００４５】
図１１及び図１２に示される相手方コネクタ装置５１には、合成樹脂等の絶縁材料によって形成されて、光電気複合コネクタ装置１１における絶縁ハウジング１６に形成された連結部２８と、絶縁ハウジング１６に形成された光電変換モジュール収容部２７に配置された基板１５の端縁部分が形成する連結部３６と、の両者が差し込まれる開口部５２が設けられた絶縁ハウジング５３と、絶縁ハウジング５３の外面部を覆う導電性シェル５４とが備えられる。導電性シェル５４の一部は、開口部５２に差し込まれる光電気複合コネクタ装置１１における連結部２８及び連結部３６を開口部５２へと案内する平板状案内部５５を形成している。また、導電性シェル５４には、主基板に、例えば、半田付けによって連結される複数の基板連結部５６が設けられている。これらの基板連結部５６は、主基板に連結されることにより相手方コネクタ装置５１を主基板に固定する役割と導電性シェル５４に主基板からの接地電位を与える役割とを果たす。
【００４６】
相手方コネクタ装置５１の絶縁ハウジング５３にあっては、開口部５２に連なる内部空間内に、光電気複合コネクタ装置１１における連結部２８に配列配置された複数のケーブル接続端子２５の部分２５ａ、及び、光電変換モジュール１４が取り付けられた基板１５の連結部３６に配列配置された複数の光電変換モジュール接続端子３４の端部が夫々接触接続される、複数のコンタクト５７が配列配置されている。これらの相手方コネクタ装置５１における複数のコンタクト５７の夫々は、主基板に設けられた電気回路構成部に、例えば、半田付けによって電気的に接続される接続端子部５７ａを有している。
【００４７】
図１及び図２に示される光電気複合コネクタ装置１１が図１１及び図１２に示される相手方コネクタ装置５１に嵌合せしめられる際には、光電気複合コネクタ装置１１が、絶縁ハウジング１６の長手方向に沿って伸びる一連の連結部を形成する、絶縁ハウジング１６に形成された連結部２８及び光電変換モジュール１４が取り付けられた基板１５の連結部３６を、相手方コネクタ装置５１における開口部５２の位置に対応する位置をとらせて、相手方コネクタ装置５１に対して対向配置される。その後、光電気複合コネクタ装置１１が相手方コネクタ装置５１に近接せしめられ、光電気複合コネクタ装置１１における絶縁ハウジング１６に形成された連結部２８及び光電変換モジュール１４が取り付けられた基板１５の連結部３６が、相手方コネクタ装置５１における導電性シェル５４の一部が形成する平板状案内部５５による案内を受けつつ、相手方コネクタ装置５１における開口部５２に差し込まれて、光電気複合コネクタ装置１１が相手方コネクタ装置５１に嵌合せしめられた状態がとられる。
【００４８】
このようにして、光電気複合コネクタ装置１１が相手方コネクタ装置５１に嵌合せしめられたときには、光電気複合コネクタ装置１１の絶縁ハウジング１６に形成された連結部２８に配列配置された複数のケーブル接続端子２５の部分２５ａ、及び、光電変換モジュール１４が取り付けられた基板１５の連結部３６に配列配置された複数の光電変換モジュール接続端子３４の端部が、相手方コネクタ装置５１の絶縁ハウジング５３内に配された複数のコンタクト５７に夫々接触接続され、それにより、光電気複合コネクタ装置１１に装着された、配列配置された複数の同軸ケーブルとされる複数のケーブル１２と光ファイバーケーブル１３の端部に配された光電変換モジュール１４とが、相手方コネクタ装置５１を介して、相手方コネクタ装置５１が配された主基板に設けられた電気回路構成部に電気的に接続される。
【００４９】
上述の光電気複合コネクタ装置１１においては、例えば、配列配置された複数の同軸ケーブルとされる複数のケーブル１２と光ファイバーケーブル１３の端部に配される光電変換モジュール１４との両者が装着されたものとされるにあたり、先ず、ケーブル固定部２６に複数のケーブル接続端子２５が配された絶縁ハウジング１６が導電性シェル１７に固着され、それとは別に、光電変換モジュール接続端子３４が設けられた基板１５に光電変換モジュール１４が取り付けられて光電変換モジュール１４が光電変換モジュール接続端子３４に電気的に接続されたものとされる。そして、斯かるもとで、光電変換モジュール１４が取り付けられた基板１５が、導電性シェル１７に固着された絶縁ハウジング１６における光電変換モジュール収容部２７に配置されて、光電変換モジュール１４が絶縁ハウジング１６における光電変換モジュール収容部２７に配される。続いて、複数のケーブル１２が、絶縁ハウジング１６におけるケーブル固定部２６における複数のケーブル接続端子２５に、例えば、夫々半田付けにより電気的に接続されることによってケーブル固定部２６に取り付けられるとともに、光ファイバーケーブル１３が、その一端部を光電変換モジュール１４における光ファイバーケーブル挿入口形成部３２に挿入されるものとして、光電変換モジュール１４における封止材３３によって封じ込められた光電変換素子３１に光学的に連結される。さらに、導電性カバー１８が、その複数の係合部４４を導電性シェル１７が有する複数の係合部２１に夫々係合させて、絶縁ハウジング１６を挟んで導電性シェル１７と対向して絶縁ハウジング１６を部分的に覆うものとされて配設される。その結果、複数のケーブル１２がケーブル固定部２６に取り付けられるとともに、光電変換モジュール１４が光電変換モジュール収容部２７に配されて、複数のケーブル１２と光電変換モジュール１４とが装着された光電気複合コネクタ装置１１が組み立てられる。
【００５０】
従って、光電気複合コネクタ装置１１にあっては、その組立工程において、予め光電変換モジュール１４が電気的に接続されて取り付けられた基板１５を、導電性シェル１７に固着された絶縁ハウジング１６における光電変換モジュール収容部２７に配置することによって、光電変換モジュール１４を光電変換モジュール収容部２７に配されたものとすることができる。それにより、光電変換モジュール１４に対して内部破壊や損傷が生じることがないようにする格別な注意を払うことなく、複数のケーブル１２及び光電変換モジュール１４の適正な装着を行うことができ、その結果、一連の組立作業を容易かつ効率的に進めることができることになる。
【００５１】
さらに、光電気複合コネクタ装置１１によれば、光電変換モジュール１４が取り付けられた基板１５が、導電性シェル１７に固着された絶縁ハウジング１６における光電変換モジュール収容部２７に配置されることによって、光電変換モジュール１４が光電変換モジュール収容部２７に配された後に、絶縁ハウジング１６におけるケーブル固定部２６やそれに取り付けられた複数のケーブル１２に電気的不導通等の不都合が生じた場合にも、光電変換モジュール１４を伴った装置全体を破棄することは必要とされず、光電変換モジュール１４が取り付けられた基板１５をそれが配置された絶縁ハウジング１６における光電変換モジュール収容部２７から分離させることにより、簡単で容易な操作によって一旦光電変換モジュール収容部２７に配された光電変換モジュール１４の取外しを行うことができ、その結果、光電変換モジュール１４を無駄に消費することなく再利用可能なものとすることができる。
【実施例２】
【００５２】
図１３（斜視図）及び図１４（平面図）は、本発明に係る光電気複合コネクタ装置の第２の例を、それに装着された複数の同軸ケーブル及び光電変換モジュ−ルが取り付けられた基板の一部分と共に示す。
【００５３】
図１３及び図１４において、本発明に係る光電気複合コネクタ装置の第２の例を成す光電気複合コネクタ装置６１は、前述の本発明に係る光電気複合コネクタ装置の第１の例を成す光電気複合コネクタ装置１１と同様に構成された部分を多々有しており、斯かる部分は、光電気複合コネクタ装置１１と共通の符号が付されて示され、重複説明は省略される。そして、光電気複合コネクタ装置６１も、前述の光電気複合コネクタ装置１１と同様に、例えば、配列配置された複数の同軸ケーブルとされる複数のケーブル１２と光ファイバーケーブル１３の端部に配される光電変換モジュ−ル１４（後述される図２０及び図２１に示されている。）とが装着されたもとで、例えば、ソリッド印刷配線基板とされる主基板にそれに設けられた電気回路構成部との電気的接続がなされて取り付けられた基板側コネクタ装置とされる相手方コネクタ装置に嵌合せしめられる、ケーブル側コネクタ装置として用いられるものとされている。光電変換モジュール１４は、基板１５に取り付けられた状態をもって装着されている。
【００５４】
光電気複合コネクタ装置６１には、合成樹脂等の絶縁材料によって形成された絶縁ハウジング６３, 外部からの電磁波ノイズ対策のため絶縁ハウジング６３の外面部を部分的に覆うものとされた導電性シェル６４及び導電性カバー６５が備えられている。
【００５５】
導電性シェル６４を単体で示す図１５に示されるように、導電性シェル６４は、例えば、弾性を有した金属板材料が打抜き・屈曲加工されて形成され、それに絶縁ハウジング６３が、例えば、インサートモールド成型の手法により固着されるものとされている。そして、導電性シェル６４は、複数の矩形透孔及び半円形透孔を含んだ透孔群が形成された平板状部６６、及び、平板状部６６における長手方向の両端部に導電性カバー６５との係合状態をとるべく設けられた複数の係合部６７を有している。平板状部６６の一部分は、光電変換モジュール１４が取り付けられた基板１５に当接して基板１５を当接支持する状態をとる光電変換モジュール当接部６６ａを形成している。また、複数の係合部６７の夫々には、係合突起６７ａが形成されている。
【００５６】
さらに、導電性シェル６４には、平板状部６６における長手方向の両端部の間の部分に、光電変換モジュール１４が取り付けられた基板１５に設けられたグラウンド端子部３５に接続される一対のグラウンド接続部６８が備えられている。一対のグラウンド接続部６８の夫々は、平板状部６６から切り起こされた弾性片持接触部を形成している。
【００５７】
また、導電性カバー６５をその内側から見たものとして単体で示す図１６に示されるように、導電性カバー６５は、例えば、弾性を有した金属板材料が打抜き・屈曲加工されて形成されており、一対の透孔７０が形成されるとともに各透孔７０に一対の接触片部７１が臨むものとされた平板状部７２、及び、平板状部７２における長手方向の両端部に導電性シェル６４との係合状態をとるべく設けられた複数の係合部７３を有している。複数の係合部７３の夫々には、図１３に示されるように、係合孔７３ａが形成されている。また、平板状部７２の長手方向に伸びる一対の対向側縁部の一方には、平板状部７２の内側に折り返された折返し部７４及び７５が相互隣接して設けられている。折返し部７５は、一対の切込みスリット７６によって挟まれており、それによって、平板状部７２の内側から外側への方向及び平板状部７２の外側から内側への方向に弾性変位可能な弾性片持変位部を形成している。
【００５８】
図１７に示されるように、図１５に示される導電性シェル６４には、その平板状部６６の大部分を覆うようにして、絶縁ハウジング６３が、例えば、インサートモールド成型の手法により固着される。そして、絶縁ハウジング６３には、複数のケーブル１２が夫々電気的に接続される複数のケーブル接続端子８０が設けられて、複数のケーブル１２が取り付けられるケーブル固定部８１と、光電変換モジュール１４が取り付けられた基板１５が配置される光電変換モジュール収容部８２と、ケーブル固定部８１の外部へと伸びた複数のケーブル接続端子８０の夫々の部分８０ａが配された、相手方コネクタ装置との連結部８３と、が形成されている。光電変換モジュール収容部８２は、それに導電性シェル６４における光電変換モジュール当接部６６ａが隣接することになる位置をとるものとされている。
【００５９】
絶縁ハウジング６３に形成されたケーブル固定部８１は、絶縁ハウジング６３の長手方向に伸びており、斯かるケーブル固定部８１には、複数のケーブル接続端子８０が、絶縁ハウジング６３の長手方向に沿って配列配置されている。また、絶縁ハウジング６３に形成された光電変換モジュール収容部８２は、導電性シェル６４に備えられた一対のグラウンド接続部６８が露出する平坦部分を成している。そして、これらのケーブル固定部８１及び光電変換モジュール収容部８２は、絶縁ハウジング６３の長手方向に沿って並べられている。
【００６０】
また、絶縁ハウジング６３に形成された連結部８３は、絶縁ハウジング６３におけるケーブル固定部８１から突出する突出部を成していて、絶縁ハウジング６３の長手方向に伸びるものとされている。そして、連結部８３には、複数のケーブル接続端子８０の部分８０ａが、絶縁ハウジング６３の長手方向に沿って配列配置されている。また、連結部８３における絶縁ハウジング６３の長手方向に沿って伸びる端縁部分には、先端傾斜面部８４が形成されている。
【００６１】
図１８に示されるように、導電性シェル６４に固着された絶縁ハウジング６３には、それに形成されたケーブル固定部８１に複数のケーブル１２が取り付けられる。複数のケーブル１２がケーブル固定部８１に取り付けられるにあたっては、複数のケーブル１２の夫々である同軸ケーブルの一端部に、絶縁被覆及び内部絶縁層が除去されて外側導体３８及び中心導体３９が露出せしめられる処理が施され、複数のケーブル１２の外側導体３８がグラウンディング・バー４０によって連結される。そして、各々の外側導体３８がグラウンディング・バー４０によって連結された複数のケーブル１２の夫々の一端部が、絶縁ハウジング６３に形成されたケーブル固定部８１に配されて、複数のケーブル１２の中心導体３９が、ケーブル固定部８１に配列配置された複数のケーブル接続端子８０に夫々、例えば、半田付けによって接続される。それにより、複数のケーブル１２の夫々の一端部が絶縁ハウジング６３に形成されたケーブル固定部８１に固定され、配列配置された複数の同軸ケーブルとされる複数のケーブル１２が、絶縁ハウジング６３に形成されたケーブル固定部８１に取り付けられた状態が得られる。
【００６２】
続いて、図１９に示されるように、導電性シェル６４に固着された絶縁ハウジング６３が、それに形成されたケーブル固定部８１に複数のケーブル１２が取り付けられたものとされたもとで、導電性カバー６５が、絶縁ハウジング６３を挟んで導電性シェル６４と対向して配され、その平板状部７２によって絶縁ハウジング６３を部分的に覆うものとされる。その際、導電性カバー６５における複数の係合部７３の夫々が、それに設けられた係合孔７３ａを、導電性シェル６４における複数の係合部６７のうちの対応するものに設けられた係合突起６７ａに嵌合させて、対応する係合部６７に係合するものとされる。また、導電性カバー６５における平板状部７２が、絶縁ハウジング６３に形成された光電変換モジュール収容部８２、及び、絶縁ハウジング６３に形成されて複数のケーブル１２が取り付けられたケーブル固定部８１を覆うものとされ、さらに、導電性カバー６５における平板状部７２に形成された複数の接触片部７１が、ケーブル固定部８１に取り付けられた複数のケーブル１２の夫々の外側導体３８を連結するグラウンディング・バー４０に接触接続される。それにより、複数のケーブル１２の夫々の外側導体３８が、導電性カバー６５を介して導電性シェル６４に電気的に連結され、導電性カバー６５及び導電性シェル６４に、複数のケーブル１２の夫々の外側導体３８を通じてグラウンド電位が与えられる。
【００６３】
さらに、図２０に示されるように、絶縁ハウジング６３に形成され、図１９に示されるようにして導電性カバー６５における平板状部７２によって覆われた光電変換モジュール収容部８２に、光電変換モジュール１４が取り付けられた基板１５が配置される。その際、基板１５に取り付けられた光電変換モジュール１４にあっては、予め、光ファイバーケーブル１３が連結される。光ファイバーケーブル１３が光電変換モジュール１４に連結されるにあたっては、光ファイバーケーブル１３の一端が、光電変換モジュール１４における光ファイバーケーブル挿入口形成部に挿入されて、光電変換モジュール１４における封止材によって封じ込められた光電変換素子に光学的に連結される。それにより、光電変換モジュール１４が、光ファイバーケーブル１３の端部に配されたものとされる。
【００６４】
そして、光ファイバーケーブル１３の端部に配された光電変換モジュール１４が取り付けられた基板１５が、基板１５の上面に配された複数の光電変換モジュール接続端子３４の夫々の一端部が配列配置された連結部３６における先端傾斜面部３６ａを先頭にして、絶縁ハウジング６３に形成された光電変換モジュール収容部８２とそれを覆う導電性カバー６５における平板状部７２との間に、図２０における矢印Ｌにより示されるように差し込まれる。そして、光電変換モジュール収容部８２とそれを覆う導電性カバー６５における平板状部７２との間への基板１５の差込みが完了すると、光電変換モジュール１４が取り付けられた基板１５が、絶縁ハウジング６３に形成された光電変換モジュール収容部８２に配置される。
【００６５】
このようにして、光電変換モジュール１４が取り付けられた基板１５が絶縁ハウジング６３に形成された光電変換モジュール収容部８２に配置されたときには、図１４における XXI−XXI 線断面を示す図２１に示されるように、導電性カバー６５における平板状部７２の長手方向に伸びる一対の対向側縁部の一方に設けられた折返し部７５が、光電変換モジュール１４における封止材３３に対接して、光電変換モジュール１４を係止する状態をとる。また、基板１５の下面１５ｂに設けられた一対のグラウンド端子部３５に、導電性シェル６４に備えられていて光電変換モジュール収容部８２に露出する一対のグラウンド接続部６８が弾性当接して、基板１５の下面１５ｂに設けられた一対のグラウンド端子部３５が導電性シェル６４に電気的に接続される。さらに、基板１５の下面１５ｂに、導電性シェル６４の平板状部６６の一部分が形成する光電変換モジュール当接部６６ａが当接して、光電変換モジュール１４が取り付けられた基板１５が光電変換モジュール当接部６６ａにより当接支持される。このようにして、光電変換モジュール１４が取り付けられた基板１５が光電変換モジュール収容部８２に配置されることにより、光電変換モジュール１４が光電変換モジュール収容部８２に配された状態が得られる。
【００６６】
光電変換モジュール収容部８２に配置された基板１５は、その連結部３６が、絶縁ハウジング６３の長手方向に沿って、絶縁ハウジング６３に形成された連結部８３に連なるものとされる。斯かるもとにおいて、連結部８３に形成された先端傾斜面部８４と連結部３６に形成された先端傾斜面部３６ａとが、絶縁ハウジング６３の長手方向に沿って伸びる一連の先端傾斜面部を形成するものとされる。それにより、絶縁ハウジング６３に形成された連結部８３と基板１５に形成された連結部３６とが、相互隣接して絶縁ハウジング６３の長手方向に沿って伸びる一連の連結部を形成し、斯かる連結部８３と連結部３６とが、複数のケーブル接続端子８０の夫々の部分８０ａ及び光電変換モジュール接続端子３４の夫々の一端が配列配置された突出部を成すものとして形成されていることになる。
【００６７】
このようにして、導電性シェル６４に固着され、ケーブル固定部８１に複数のケーブル１２が取り付けられた絶縁ハウジング６３における、導電性カバー６５の平板状部７２によって覆われた光電変換モジュール収容部８２に、光電変換モジュール１４が取り付けられた基板１５が配置されることにより、図１３及び図１４に示される光電気複合コネクタ装置６１が組み立てられる。そして、組み立てられた光電気複合コネクタ装置６１は、例えば、ソリッド印刷配線基板とされる主基板にそれに設けられた電気回路構成部との電気的接続がなされて取り付けられた基板側コネクタ装置とされる相手方コネクタ装置に嵌合せしめられて用いられる。
【００６８】
光電気複合コネクタ装置６１が嵌合せしめられる相手方コネクタ装置は、例えば、前述の図１１及び１２に示される相手方コネクタ装置５１とされる。光電気複合コネクタ装置６１が図１１及び図１２に示される相手方コネクタ装置５１に嵌合せしめられる際には、光電気複合コネクタ装置６１が、絶縁ハウジング６３の長手方向に沿って伸びる一連の連結部を形成する、絶縁ハウジング６３に形成された連結部８３及び光電変換モジュール１４が取り付けられた基板１５の連結部３６を、相手方コネクタ装置５１における開口部５２の位置に対応する位置をとらせて、相手方コネクタ装置５１に対して対向配置される。その後、光電気複合コネクタ装置６１が相手方コネクタ装置５１に近接せしめられ、光電気複合コネクタ装置６１における絶縁ハウジング６３に形成された連結部８３及び光電変換モジュール１５が取り付けられた基板１５の連結部３６が、相手方コネクタ装置５１における導電性シェル５４の一部が形成する平板状案内部５５による案内を受けつつ、相手方コネクタ装置５１における開口部５２に差し込まれて、光電気複合コネクタ装置６１が相手方コネクタ装置５１に嵌合せしめられた状態がとられる。
【００６９】
光電気複合コネクタ装置６１が相手方コネクタ装置５１に嵌合せしめられたときには、光電気複合コネクタ装置６１の絶縁ハウジング６３に形成された連結部８３に配列配置された複数のケーブル接続端子８０の部分８０ａ、及び、光電変換モジュール１４が取り付けられた基板１５の連結部３６に配列配置された複数の光電変換モジュール接続端子３４の一端が、相手方コネクタ装置５１の絶縁ハウジング５３内に配された複数のコンタクト５７に夫々接触接続され、それにより、光電気複合コネクタ装置６１に装着された、配列配置された複数の同軸ケーブルとされる複数のケーブル１２と光ファイバーケーブル１３の端部に配された光電変換モジュール１４とが、相手方コネクタ装置５１を介して、相手方コネクタ装置５１が配された主基板に設けられた電気回路構成部に電気的に接続される。
【００７０】
上述の光電気複合コネクタ装置６１においては、例えば、配列配置された複数の同軸ケーブルとされる複数のケーブル１２と光ファイバーケーブル１３の端部に配された光電変換モジュール１４との両者が装着されたものとされるにあたり、先ず、ケーブル固定部８１に複数のケーブル接続端子８０が配された絶縁ハウジング６３が導電性シェル６４に固着され、それとは別に、光電変換モジュール接続端子３４が設けられた基板１５に光電変換モジュール１４が取り付けられて光電変換モジュール１４が光電変換モジュール接続端子３４に電気的に接続されたものとされるとともに、光電変換モジュール１４に光ファイバーケーブル１３の端部が連結される。そして、斯かるもとで、複数のケーブル１２が、絶縁ハウジング６３におけるケーブル固定部８１における複数のケーブル接続端子８０に、例えば、夫々半田付けにより電気的に接続されることによってケーブル固定部８１に取り付けられ、また、導電性カバー６５が、その複数の係合部７３を導電性シェル６４が有する複数の係合部６７に夫々係合させて、絶縁ハウジング６３を挟んで導電性シェル６４と対向して絶縁ハウジング６３を部分的に覆うものとされて配設される。さらに、その後、光ファイバーケーブル１３の端部に配された光電変換モジュール１４が取り付けられた基板１５が、導電性シェル６４に固着された絶縁ハウジング６３における光電変換モジュール収容部８２に配置されて、光電変換モジュール１４が絶縁ハウジング６３における光電変換モジュール収容部８２に配される。その結果、複数のケーブル１２がケーブル固定部８１に取り付けられるとともに、光電変換モジュール１４が光電変換モジュール収容部８２に配されて、複数のケーブル１２と光電変換モジュール１４とが装着された光電気複合コネクタ装置６１が組み立てられる。
【００７１】
従って、光電気複合コネクタ装置６１にあっても、その組立工程において、予め光電変換モジュール１４が電気的に接続されて取り付けられた基板１５を、導電性シェル６４に固着された絶縁ハウジング６３における光電変換モジュール収容部８２に配置することによって、光電変換モジュール１４を光電変換モジュール収容部８２に配されたものとすることができる。それにより、光電変換モジュール１４に対して内部破壊や損傷が生じることがないようにする格別な注意を払うことなく、複数のケーブル１２及び光電変換モジュール１４の適正な装着を行うことができ、その結果、一連の組立作業を容易かつ効率的に進めることができることになる。
【００７２】
さらに、光電気複合コネクタ装置６１によれば、光電変換モジュール１４が取り付けられた基板１５が、導電性シェル６４に固着された絶縁ハウジング６３における光電変換モジュール収容部８２に配置されることによって、光電変換モジュール１４が光電変換モジュール収容部８２に配された後に、絶縁ハウジング６３におけるケーブル固定部８１やそれに取り付けられた複数のケーブル１２に電気的不導通等の不都合が生じた場合にも、光電変換モジュール１４を伴った装置全体を破棄することは必要とされず、光電変換モジュール１４が取り付けられた基板１５をそれが配置された絶縁ハウジング６３における光電変換モジュール収容部８２から分離させることにより、簡単で容易な操作によって一旦光電変換モジュール収容部８２に配された光電変換モジュール１４の取外しを行うことができ、その結果、光電変換モジュール１４を無駄に消費することなく再利用可能なものとすることができる。
【産業上の利用可能性】
【００７３】
以上のような本発明に係る光電気複合コネクタ装置は、同軸ケーブルと光ファイバーケーブルの端部に配される光電変換モジュールとの両者が装着されるケーブル側コネクタ装置として用いることができるものであって、その組立工程における一連の作業を容易かつ効率的に進めることができ、しかも、光ファイバーケーブルの端部に配される光電変換モジュールが装着された後に、光電変換モジュールと共に装着された同軸ケーブルやその他の部分に電気的不導通等の不都合が生じた場合にも、簡単で容易な操作によって光電変換モジュールの取外しを行うことができ、光電変換モジュールを無駄に消費することなく再利用することができるものとして、様々な電子機器等に広く適用され得るものである。
【符号の説明】
【００７４】
１１，６１・・・光電気複合コネクタ装置，  １２・・・ケーブル，  １３・・・光ファイバーケーブル，  １４・・・光電変換モジュール，  １５・・・基板，  １６，６３・・・絶縁ハウジング，  １７，６４・・・導電性シェル，  １８，６５・・・導電性カバー，  ２０・・・（導電性シェル１７の）平板状部，  ２０ａ，６６ａ・・・光電変換モジュール当接部,   ２１，４４，６７，７３・・・係合部，  ２２，６８・・・グラウンド接続部，  ２５，８０・・・ケーブル接続端子，  ２６，８１・・・ケーブル固定部，  ２７，８２・・・光電変換モジュール収容部，  ２８, ３６，８３・・・連結部，  ２９，３６ａ，８４・・・先端傾斜面部，  ３０・・・ＩＣチップ，  ３１・・・光電変換素子，  ３２・・・光ファイバーケーブル挿入口形成部，  ３３・・・封止材，  ３４・・・光電変換モジュール接続端子，  ３５・・・グラウンド端子部，  ３８・・・外側導体，  ３９・・・中心導体，  ４０・・・グラウンディング・バー，  ４２，７１・・・接触片部，  ４３・・・（導電性カバー１８の）平板状部，  ５１・・・相手方コネクタ装置，  ６６・・・（導電性シェル６４の）平板状部，  ７２・・・（導電性カバー６５の）平板状部，  ７４, ７５・・・折返し部，  ７６・・・切込みスリット
【図１】
2014146508.tif 000003
【図２】
2014146508.tif 000004
【図３】
2014146508.tif 000005
【図４】
2014146508.tif 000006
【図５】
2014146508.tif 000007
【図６】
2014146508.tif 000008
【図７】
2014146508.tif 000009
【図８】
2014146508.tif 000010
【図９】
2014146508.tif 000011
【図１０】
2014146508.tif 000012
【図１１】
2014146508.tif 000013
【図１２】
2014146508.tif 000014
【図１３】
2014146508.tif 000015
【図１４】
2014146508.tif 000016
【図１５】
2014146508.tif 000017
【図１６】
2014146508.tif 000018
【図１７】
2014146508.tif 000019
【図１８】
2014146508.tif 000020
【図１９】
2014146508.tif 000021
【図２０】
2014146508.tif 000022
【図２１】
2014146508.tif 000023